【事件の表示】
　特願２００４−３４４４２６「携帯端末、携帯端末の制御方法及びプログラム」拒絶査定不服審判事件〔平成１８年　６月１５日出願公開、特開２００６−１５５２０６〕について、次のとおり審決する。
【結　論】
　本件審判の請求は、成り立たない。
【理　由】
１．手続の経緯と本願発明
　本願は、平成１６年１１月２９日の出願であって、特許請求の範囲の請求項１に係る発明（以下、「本願発明」という。）は、平成２３年４月２５日付け手続補正書により補正された特許請求の範囲の記載からみて、その特許請求の範囲の請求項１に記載された以下のとおりのものと認める。
　
〈本願発明〉
　「文字及び／または画像を表示する表示画面と、
　複数のキーを備える操作部と、
　特定のキーに、表示の拡大機能を割り付けるモード制御手段と、
　前記複数のキーの中から１つに対して操作が行われた場合には、前記操作部の中心から当該操作が行われたキーに向かう方向と同じ方向に、前記表示画面に表示されている前記文字及び／または画像を拡大する表示制御手段と、を備えることを特徴とする携帯端末。」
　
２．引用発明および公知技術
（１）これに対して、原査定の拒絶の理由で引用した特開２００３−２７３９７１号公報（平成１５年９月２６日出願公開。以下、「引用例１」という。）には図面とともに以下の事項が記載されている。
　
ａ．「【課題を解決するための手段】本発明は、画像の一部を拡大表示する場合の操作を直感的にわかりやすくし、操作性を向上させることを目的とする。」（【０００８】の記載。）
　
ｂ．「【００２１】
携帯電話１にはブラウザの情報を表示することが可能な表示画面１０と、電話番号やメールアドレス、メール本文等の入力に使用される数字やアルファベットを有するテンキー部１１が装備
　
ｃ．「【００５３】図１０は本実施形態の
ＷＥＢサーバー３に携帯電話１がアクセスしてきた際の処理
【００５４】携帯電話１などの携帯機器からアクセスが開始されたると、処理３は開始される。
【００５５】ＷＥＢサーバー３に携帯電話１がアクセスしてくると、機種判別部３０は、アクセスしてきた携帯電話１の機種を得る（ステップ１００）。そして、レイアウト処理部３２はＤＢ処理部３４を介してＤＢ５に格納されている情報から接続している携帯電話１の表示画面のサイズを検索し、検索した携帯電話１の表示画面サイズとオリジナル画像のサイズを比較することにより、携帯電話１が表示させようとしているオリジナル画像のサイズが取得した機種の表示画面サイズに適しているかを判断する（ステップ１０１）。
【００５６】この比較の結果、オリジナル画像がそのまま携帯電話１の表示画面に表示可能な画像である場合そのままステップ１０４へ進んで画像をサイズ調整することなしにＨＴＭＬデータを作成し、作成したＨＴＭＬデータをＨＴＭＬ出力処理部３１を介して携帯電話へ出力する（ステップ１０５）。このときデフォルトで全体の画像を表示する。これは拡大表示する必要が無いからである。
【００５７】ステップ１０１の比較の結果、オリジナル画像が携帯電話１の表示領域に収まらずかつ極端に縮小率が大きい場合には、
画像処理部３３はオリジナル画像からテンキー１１の各キーの配置に対応する部分画像を切り出し、切り出した部分画像をキー配置と同じ配置に並べた際に携帯電話１の表示画面に収まるように、例えば、各部分画像を表示画面の９分の１のサイズになるように縮小してサイズ調整して部分縮小画像を作成する
レイアウト処理部３２で、各部分縮小画像をテンキー１１の配置にあわせて配置し、各部分縮小画像にアクセスキーとしてテンキー１１の対応する各キーを割当て、部分縮小画像をキー配置と同じ配置に並べたＨＴＭＬデータを作成する
作成したＨＴＭＬをＨＴＭＬ出力処理部３１を介して携帯電話１に対して出力し、図４に示すような部分縮小画像群を表示させる
【００５８】これにより、ユーザは部分縮小画像と位置関係が関連付けられた１〜９までのテンキーを選択することにより、拡大画面へ遷移できる。
【００５９】図１１は、携帯電話１に図４に示したような部分縮小画像群または図５に示すような拡大画像が表示されている場合に、テンキーが押下されたときのＷＥＢサーバー３の処理を説明している。
【００６０】
任意のテンキーが押下されると、押下されたテンキーに割当てられているリンク先の情報がＷＥＢサーバー３に送られる。ＷＥＢサーバー３は、このリンク情報を確認する
【００６１】
ステップ１１０で確認したリンク情報のリンク先が拡大表示画像である場合は（部分縮小画像群の表示中にテンキー１１の「１」〜「９」が押下された場合や拡大画像の表示中に他の拡大画像の表示を指示するキーが押下された場合）、オリジナル画像から対応する部分の画像を切り出し、切り出した各部分画像を表示させる画面サイズにあわせてサイズ調整し、拡大画像を作成する
作成された拡大画像を表示するためのＨＴＭＬを作成する
作成したＨＴＭＬを携帯電話１に出力する
　
　してみると、画像の一部を拡大表示する場合の操作を直感的にわかりやすくし、操作性を向上させることを目的とする引用例１に記載された発明（以下、「引用発明」という。）は、以下のとおりのものである。
〈引用発明〉
「携帯電話１にはブラウザの情報を表示することが可能な表示画面１０と、電話番号やメールアドレス、メール本文等の入力に使用される数字やアルファベットを有するテンキー部１１が装備されており、
ＷＥＢサーバー３に携帯電話１がアクセスしてきた際の処理において、
画像処理部３３はオリジナル画像からテンキー１１の各キーの配置に対応する部分画像を切り出し、切り出した部分画像をキー配置と同じ配置に並べた際に携帯電話１の表示画面に収まるように、例えば、各部分画像を表示画面の９分の１のサイズになるように縮小してサイズ調整して部分縮小画像を作成し、
そして、レイアウト処理部３２で、各部分縮小画像をテンキー１１の配置にあわせて配置し、各部分縮小画像にアクセスキーとしてテンキー１１の対応する各キーを割当て、部分縮小画像をキー配置と同じ配置に並べたＨＴＭＬデータを作成し、作成したＨＴＭＬをＨＴＭＬ出力処理部３１を介して携帯電話１に対して出力し、部分縮小画像群を表示させ、
携帯電話１の任意のテンキーが押下されると、押下されたテンキーに割当てられているリンク先の情報がＷＥＢサーバー３に送られ、ＷＥＢサーバー３は、このリンク情報を確認し、
確認したリンク情報のリンク先が拡大表示画像である場合は、オリジナル画像から対応する部分の画像を切り出し、切り出した各部分画像を表示させる画面サイズにあわせてサイズ調整し、拡大画像を作成し、作成された拡大画像を表示するためのＨＴＭＬを作成し、
作成したＨＴＭＬを携帯電話１に出力するシステム。」
　
（２）また、原査定の拒絶の理由で引用された特開２００１−１７５３８５号公報（平成１３年６月２９日出願公開。以下、「引用例２」という。）には図面とともに以下の事項が記載されている。
　
ｄ．「【００３４】次に、図６（審決注：「図６」は「図７」の誤記と認める。）に本発明の第３の実施の形態のブロック図を示す。キーボード装置７０はインターフェイス７１でコンピュータ本体６０のインターフェイス６３と接続し、コンピュータ本体６０はインターフェイス６１で表示装置１０と接続している。表示制御部６２は、第１の実施の形態と同様に表示制御をするプログラムや回路等で構成され、使用者の入力の応じて表示データを生成してインターフェイス６１で表示装置１０に送る。
【００３５】キーボード装置７０は、ウィンドウの拡大／縮小／移動を制御する拡大縮小スイッチ７２と、キー入力のための入力鍵群７３と、入力鍵群７３の中から予め前後左右斜め方向のカーソル移動を指示する入力鍵として指定された指定入力鍵群７４とを有し、これらはインターフェイス７１に接続している。インターフェイス７１は、拡大縮小スイッチ７２、入力鍵群７３の信号を受けてコンピュータ本体６０へ送る。
【００３６】指定入力鍵群７４は、拡大縮小スイッチ７２でウィンドウの拡大／縮小／移動を指示している状態でカーソルの移動指示が有効となり、指示していない状態では本来の機能を果たす。また、指定入力鍵群７４のカーソルの移動指示が有効な状態で、指定入力鍵群７４が押下されている時間を計数して移動量を判定する。
【００３７】キーボード装置７０に設けられる
拡大縮小スイッチ７２
【００３８】次に、本発明の第３の実施の形態の動作について説明する。ウィンドウの拡大／縮小／移動操作に対するウィンドウの変化の様子は図３〜５において、マウス装置３０の前後左右斜め方向の操作を指定入力鍵群７４の操作に置き替えたものとなる。
【００３９】ウィンドウを拡大する場合、まず、拡大したいウィンドウをアクティブにして、カーソルをウィンドウ上に置く。次に拡大縮小スイッチ７２を前方にスライドさせ、その状態のまま拡大したい方向の指定入力鍵群７４の入力鍵を押下する。拡大縮小スイッチ７２からは表示制御部６２へウィンドウ拡大の指示がインターフェイス７１、インターフェイス６３により伝えられ、また、移動方向が指定入力鍵群７４の信号により伝えられる。
【００４０】表示制御部６２は、さらに指定入力鍵群７４の押下時間を計数し、押下時間に応じて拡大量を判定して、図３のようにウィンドウを拡大し、その画像データを表示装置１０へ送り、表示装置１０上のウィンドウが図３のように操作方向に従って拡大して表示される。」（段落【００３４】〜【００４０】の記載。）
　
　したがって、引用例２には、以下の技術（以下、「公知技術」という。）が記載されている。
　
〈公知技術〉
　指定入力鍵群７４（例えばテンキーの数字１、２、３、４、６、７、８、９のセット等）は、拡大縮小スイッチ７２でウィンドウの拡大／縮小／移動を指示している状態でカーソルの移動指示が有効となり、指示していない状態では本来の機能を果たし、
ウィンドウを拡大する場合、まず、拡大したいウィンドウをアクティブにして、カーソルをウィンドウ上に置き、次に拡大縮小スイッチ７２を前方にスライドさせ、その状態のまま拡大したい方向の指定入力鍵群７４の入力鍵を押下すると、拡大縮小スイッチ７２からは表示制御部６２へウィンドウ拡大の指示がインターフェイス７１、インターフェイス６３により伝えられる。
　
３．対比
　本願発明と引用発明とを対比する。
　（１）引用発明の「部分縮小画像をキー配置と同じ配置に並べたＨＴＭＬデータ」、「表示画面１０」、「数字やアルファベットを有するテンキー部１１」、「携帯電話」は、本願発明の「画像」、「表示画面」、「複数のキーを備える操作部」及び「携帯端末」に相当する。
　（２）また、引用発明の「携帯電話１の任意のテンキーが押下されると、押下されたテンキーに割当てられているリンク先の情報がＷＥＢサーバー３に送られ、ＷＥＢサーバー３は、このリンク情報を確認し、
確認したリンク情報のリンク先が拡大表示画像である場合は、オリジナル画像から対応する部分の画像を切り出し、切り出した各部分画像を表示させる画面サイズにあわせてサイズ調整し、拡大画像を作成し、作成された拡大画像を表示するためのＨＴＭＬを作成し、
作成したＨＴＭＬを携帯電話１に出力する」との構成は、本願発明の「前記複数のキーの中から１つに対して操作が行われた場合には、前記操作部の中心から当該操作が行われたキーに向かう方向と同じ方向に、前記表示画面に表示されている前記画像を拡大する」との構成と、「前記複数のキーの中から１つに対して操作が行われた場合には、操作部の中心位置と操作されたキーとの相対位置に対応して、前記表示画面に表示されている前記画像を拡大する」点で一致している。
　したがって、両者は、以下の一致点と相違点とを有する。
　
＜一致点＞
　「画像を表示する表示画面と、
　複数のキーを備える操作部と、
　を備え、
前記複数のキーの中から１つに対して操作が行われた場合には、操作部の中心位置と操作されたキーとの相対位置に対応して、前記表示画面に表示されている前記画像を拡大することを特徴とする
　携帯端末」
　
＜相違点１＞
　本願発明は「特定のキーに、表示の拡大機能を割り付けるモード制御手段」との構成を備えるのに対し、引用発明は当該構成を備えない点。
　
＜相違点２＞
　本願発明は、複数のキーの中から１つに対して操作が行われた場合に、画像を拡大する表示制御手段を携帯端末に備えているのに対し、引用発明においては、ＷＥＢサーバー３と携帯電話１との両者の協働した処理により、携帯電話１に画像を拡大表示するようにしている点。
　
＜相違点３＞
　操作部の中心位置と操作されたキーとの相対位置に対応して、表示画面に表示されている画像を拡大する具体的なやり方が、本願発明では「前記操作部の中心から当該操作が行われたキーに向かう方向と同じ方向に、前記表示画面に表示されている前記画像を拡大する」のに対し、引用発明では、表示する画像を複数に分割し、各分割画像を表示する装置の操作キーと同じ位置関係に配置し、操作キーが操作されると同じ位置関係にある部分画像を拡大する点。
　
４．検討
　相違点につき検討をする。
　
＜相違点１について＞
　複数のモードを有するもの、また、機能のＯＮ、ＯＦＦができるようにするものにおいて、当該機能（モード）の利用の有無を選択させる機能を、特定のキーに割り付けるようにすることは、引例をあげるまでもなく周知の技術である。（例えば、上記「２．引用発明および公知技術」の「ｄ」に摘記した「拡大縮小スイッチ７２」が、この機能を選択するスイッチに該当する。）
　したがって、拡大する機能を備える引用発明において、周知技術を採用し、当該拡大する機能を選択できるよう相違点１に係る構成を採用することに格別の点はない。
　
＜相違点２について＞
　情報処理の技術分野において、所定の処理を複数の機器に分担・協働させて処理するか、単独の機器において、処理させるようにするかは、当該処理に必要なリソース、及び、機器の有する能力等を考慮し、適宜採用することができる事項であり、引用発明において、ＷＥＢサーバでの画像を拡大するために行われる処理を、携帯電話１で行うようにして、相違点２に係る構成とすることは、当業者が容易になし得る事項である。
　
＜相違点３について＞
　本願発明の「キーに向かう方向と同じ方向」との構成は、例えば、１〜９のキーが上から３ずつ並んでいる場合に「１」のキーが押下された場合、右下から左上方向に画像を表示画面で拡大するものである。
　一方、引用発明の「操作キーが操作されると同じ位置関係にある部分画像を拡大表示」との構成も、例えば、「１」のキーが押下された場合は、左上の部分画像を表示画面内で拡大表示するものである。
　したがって、両者の相違は、「画像を拡大」するに際し、本願発明が操作キーにより、拡大する「方向」を指定しているのに対し、引用発明が拡大する「位置」を指定している点での相違であるといえる。
　この点につき検討するに、前記公知技術の備える構成のうち「拡大したい方向の指定入力鍵群７４の入力鍵を押下する」は、本願発明の「拡大する方向を指定」するとの構成に相当する。
　そして、画面上の拡大したい場所を指定するか、画面上の拡大したい方向を指定するかは、ユーザの利便性を考慮し適宜置換可能であることから、引用発明の位置を指定することに換えて、公知技術の拡大する方向を指定することを採用し相違点３に係る構成とすることは、当業者が特段の創意を要することなくなし得たものである。
　
　以上のとおりであるから、本願発明は、引用発明及び公知技術から当業者が特段の創意を要することなく構成し得たものである。
　また、本願発明の構成により奏する作用効果も、引用発明及び公知技術からなる構成により奏する作用効果からみて格別のものであるともいえない。
　したがって、本願発明は、引用発明及び公知技術に基づいて当業者が容易に発明をすることができた発明である。
　
５．むすび
　以上のとおり、本願発明は、上記引用例１に記載された発明及び引用例２に記載された公知技術に基づいて、当業者が容易に発明をすることができた発明であるから、特許法第２９条第２項の規定により特許を受けることができない。
　
　よって、結論のとおり審決する。